(57)【特許請求の範囲】
【請求項１】
原燃料を改質して改質ガスを生成する改質装置と、前記改質ガスを用いて発電を行う燃料電池と、制御装置と、を備える燃料電池システムであって、
前記改質装置は、原料水及び改質触媒を用いて前記原燃料を水蒸気改質する改質器と、前記改質触媒を加熱するバーナ燃焼器と、前記バーナ燃焼器にバーナ燃料を供給するバーナ燃料供給装置と、前記バーナ燃焼器のバーナ燃焼空間内に設けられた複数の温度センサと、を有し、
前記バーナ燃焼器は、システム起動時においては前記原燃料を燃焼し、システム起動時後においては前記燃料電池から排出されたオフガスを燃焼することで、前記改質触媒を加熱するものであり、
前記温度センサは、前記バーナ燃焼空間を画定する内壁面に配置された熱電対を有し、
前記制御装置は、システム起動時において、複数の前記温度センサによって検出された温度のうち最も高い温度が所定範囲に達するまでは、前記バーナ燃料供給装置に、第１の供給量で前記バーナ燃料としての前記原燃料を供給させ、最も高い前記温度が前記所定範囲に達した後は、最も高い前記温度が前記所定範囲内に収まるように、前記バーナ燃料供給装置に、前記第１の供給量より少ない第２の供給量で前記バーナ燃料としての前記原燃料を供給させ、
前記制御装置は、最も高い温度を検出している前記温度センサ及びその他の前記温度センサによって検出された温度の温度差を記憶しておき、最も高い温度を検出していた前記温度センサが温度検出不能となった場合には、温度検出可能である前記温度センサによって検出された温度を前記温度差に基づいて補正し、補正した温度に基づいて、前記バーナ燃料供給装置に、前記バーナ燃料としての前記原燃料を供給させることを特徴とする燃料電池システム。
【請求項２】
前記制御装置は、システム起動時において、最も高い前記温度が前記所定範囲に達した後は、最も高い前記温度が前記所定範囲に収まっているか否かを判断し、最も高い前記温度が前記所定範囲を上回っている場合には、前記バーナ燃料供給装置を制御して、前記第２の供給量を減少させ、最も高い前記温度が前記所定範囲を下回っている場合には、前記バーナ燃料供給装置を制御して、前記第２の供給量を増加させることを特徴とする請求項１記載の燃料電池システム。
【請求項３】
前記バーナ燃料供給装置は、前記バーナ燃料としての前記原燃料を前記バーナ燃焼器に供給するラインと、前記ラインに設けられ、前記バーナ燃焼器に供給する前記原燃料の導入量を調整する電磁バルブと、を有することを特徴とする請求項１又は２記載の燃料電池システム。
【発明の詳細な説明】
【技術分野】
【０００１】
本発明は、燃料電池システムに関する。
【背景技術】
【０００２】
この種の燃料電池システムとして、灯油や都市ガス等の炭化水素燃料（原燃料）を水蒸気改質して水素含有ガス（改質ガス）を生成する改質装置と、この改質装置で得られた改質ガス及び空気を電気化学的に発電反応させる燃料電池とを備えているものが知られている（例えば、特許文献１参照）。
【特許文献１】特開２００５−２９３９５１号公報
【発明の開示】
【発明が解決しようとする課題】
【０００３】
ところで、上述したような燃料電池システムでは、水蒸気改質に用いる改質触媒を７００℃程度の改質温度に加熱する必要があるために、改質装置には改質触媒を加熱するためのバーナ燃焼器が設けられている。そして、バーナ燃焼器における火炎、すなわち燃料供給量等のコントロールは、改質触媒近傍に設けられた温度センサを用いて行われる。つまり、バーナ燃焼空間を画定する壁面の耐熱温度が考慮されずに火炎のコントロールが行われている。そのため、特にシステム起動時において、改質触媒を改質温度までより短時間に昇温させようとすると、バーナ燃焼空間を画定する壁面の耐熱温度を超え、この壁面の劣化を引き起こすおそれがある。
【０００４】
そこで本発明では、バーナ燃焼空間を画定する壁面の劣化を抑制しつつ、改質触媒を改質温度までより短時間に昇温させることのできる燃料電池システムを提供することを目的とする。
【課題を解決するための手段】
【０００５】
上記目的を達成するために、本発明に係る燃料電池システムは、原燃料を改質して改質ガスを生成する改質装置と、改質ガスを用いて発電を行う燃料電池と、制御装置と、を備える燃料電池システムであって、改質装置は、原料水及び改質触媒を用いて原燃料を水蒸気改質する改質器と、改質触媒を加熱するバーナ燃焼器と、バーナ燃焼器にバーナ燃料を供給するバーナ燃料供給装置と、バーナ燃焼器のバーナ燃焼空間内に設けられた複数の温度センサと、を有し、バーナ燃焼器は、システム起動時においては原燃料を燃焼し、システム起動時後においては燃料電池から排出されたオフガスを燃焼することで、改質触媒を加熱するものであり、温度センサは、バーナ燃焼空間を画定する内壁面に配置された熱電対を有し、制御装置は、システム起動時において、複数の温度センサによって検出された温度のうち最も高い温度が所定範囲に達するまでは、バーナ燃料供給装置に、第１の供給量でバーナ燃料としての原燃料を供給させ、最も高い温度が所定範囲に達した後は、最も高い温度が所定範囲内に収まるように、バーナ燃料供給装置に、第１の供給量より少ない第２の供給量でバーナ燃料としての原燃料を供給させ、制御装置は、最も高い温度を検出している温度センサ及びその他の温度センサによって検出された温度の温度差を記憶しておき、最も高い温度を検出していた温度センサが温度検出不能となった場合には、温度検出可能である温度センサによって検出された温度を温度差に基づいて補正し、補正した温度に基づいて、バーナ燃料供給装置に、バーナ燃料としての原燃料を供給させることを特徴とする。
【０００６】
この燃料電池システムでは、バーナ燃料供給装置は、システム起動時において、バーナ燃焼器のバーナ燃焼空間内に設けられた温度センサによって検出された温度が所定範囲に達するまでは、第１の供給量でバーナ燃料としての原燃料を供給し、温度が所定範囲に達した後は、温度が所定範囲内に収まるように、第１の供給量より少ない第２の供給量でバーナ燃料としての原燃料を供給する。これにより、バーナ燃焼器は、例えばバーナ燃焼空間を画定する壁面の耐熱温度の上限付近である所定範囲に燃焼空間内の温度が達した後は、燃焼空間内の温度がその所定範囲内に収まるようにバーナ燃焼を制御することができ、改質触媒を改質温度までより短時間に昇温させることが可能となる。従って、バーナ燃焼空間を画定する壁面の劣化を抑制しつつ、改質触媒を改質温度までより短時間に昇温させることができる。ここで、本発明において「燃料電池システムの起動時」とは、燃料電池システムを起動してからオフガスがバーナ燃焼器に導入されるまでの期間を意味する。
【０００７】
また、本発明に係る燃料電池システムにおいては、温度センサが、バーナ燃焼空間を画定する内壁面に配置されている。これにより、バーナ燃焼空間を画定する壁面の最高温度部位における温度を容易且つ正確に測定することができる。
【０００８】
また、本発明に係る燃料電池システムにおいては、温度センサが、熱電対を有する。これにより、より確実にバーナ燃焼空間の温度を測定することができる。
【０００９】
また、本発明に係る燃料電池システムにおいては、制御装置が、複数の温度センサによって検出された温度のうち最も高い温度に基づいて、バーナ燃料供給装置に、バーナ燃料としての原燃料を供給させる。これによれば、バーナ燃焼空間を画定する壁面の劣化をより一層確実に抑制しつつ、改質触媒を改質温度までより一層短時間に昇温させることができる。
【００１０】
このとき、制御装置は、最も高い温度を検出している温度センサ及びその他の温度センサによって検出された温度の温度差を記憶しておき、最も高い温度を検出していた温度センサが温度検出不能となった場合には、温度検出可能である温度センサによって検出された温度を温度差に基づいて補正し、補正した温度に基づいて、バーナ燃料供給装置に、バーナ燃料としての原燃料を供給させる。これによれば、最も高い温度を検出していた温度センサが温度検出不能となった場合でも、バーナ燃焼空間を画定する壁面の劣化を抑制しつつ、改質触媒を改質温度までより短時間に昇温させることができる。
【発明の効果】
【００１１】
本発明によれば、バーナ燃焼空間を画定する壁面の劣化を抑制しつつ、改質触媒を改質温度までより短時間に昇温させることができる。
【発明を実施するための最良の形態】
【００１２】
以下、添付図面を参照して、本発明の好適な実施形態について詳細に説明する。なお、図面の説明において同一又は相当部分には同一符号を付し、重複する説明は省略する。
【００１３】
図１は、本発明に係る燃料電池システムの一実施形態を示す概略構成図である。本発明に係る燃料電池システムは、原燃料として液体燃料又はガス燃料を用いて発電を行なうものであり、例えば家庭用の電力供給源として採用される。ここでは、入手が容易であり且つ独立して貯蔵可能であるという観点から液体燃料である灯油が用いられている。
【００１４】
図１に示されるように、燃料電池システム１は、脱硫器２、改質装置として燃料処理システム（以下「ＦＰＳ」とする）３、燃料電池として固体高分子形燃料電池（以下「ＰＥＦＣ」とする）スタック４、インバータ５、及びこれらを収容する筐体６を備えている。
【００１５】
脱硫器２は、外部から導入された液体燃料を脱硫するものである。この脱硫器２には、脱硫触媒及びヒータが設けられている。この脱硫触媒は、ヒータにより例えば２２０℃〜２３０℃まで加熱されて脱硫に用いられる。また、脱硫器２の上流側の流路には、脱硫器２に液体燃料を送入するポンプ（図示せず）が設けられている。このポンプは、液体燃料を加圧しながら脱硫器２に送入できるものであり、例えば、定量型の電磁ポンプを用いることができる。脱硫器２内の液体燃料が加圧されることで、脱硫触媒を比較的高温にしても液体燃料が気化されに難くなる。このため、液体燃料を安定して液状に保ちながら、加熱された脱硫触媒に接触させることができる。また、定量型の電磁ポンプを用いることで、脱硫器２に送入する液体燃料の圧力を安定化させることができるので、安定して脱硫することができる。
【００１６】
ＦＰＳ３は、液体燃料を改質して改質ガスを生成するためのものであり、改質器７及びバーナ燃焼器８を有している。改質器７は、脱硫された液体燃料と水蒸気とを改質触媒で水蒸気改質反応させて、水素を含有する水蒸気改質ガスを生成する。バーナ燃焼器８は、改質器７の改質触媒を加熱することで、水蒸気改質反応に必要な熱量を供給する。
【００１７】
更に、ＦＰＳ３は、変性器９及び選択酸化器１１を有している。変性器９は、改質器７で生成された水蒸気改質ガスを水性シフト反応させて、一酸化炭素の濃度を低下させたシフト改質ガスを生成する。選択酸化器１１は、変性器９で生成されたシフト改質ガスを空気の導入により選択酸化反応させて、一酸化炭素の濃度を更に低下させた発電反応に用いられる改質ガスを生成する。この変性器９及び選択酸化器１１を更に用いることで、一酸化炭素の濃度が１０ｐｐｍ程度の改質ガスが生成される。
【００１８】
ＰＥＦＣスタック４は、複数の電池セル（図示せず）が積み重ねられて構成されており、ＦＰＳ３で得られた改質ガスを用いて発電してＤＣ電流を出力する。電池セルは、アノードと、カソードと、アノード及びカソード間に配置された固体酸化物である電解質とを有しており、アノードに改質ガスを導入させると共に、カソードに空気を導入させることで、各電池セルにおいて電気化学的な発電反応が行われることになる。なお、ＰＥＦＣスタック４は、通常５５０〜１０００℃程度の高温で作動する。
【００１９】
インバータ５は、出力されたＤＣ電流をＡＣ電流に変換する。筐体６は、その内部に脱硫器２、ＦＰＳ３、ＰＥＦＣスタック４及びインバータ５をモジュール化して収容する。
【００２０】
また、燃料電池システム１は、液体燃料を筐体６の外部からＦＰＳ３に導入するための液体燃料ラインＬ１を備えている。液体燃料ラインＬ１は、その下流側において、液体燃料を改質器７に導入する液体燃料ラインＬ１１と液体燃料をバーナ燃焼器８に供給する液体燃料ラインＬ１２とに分岐されている。また、液体燃料ラインＬ１１には、改質器７に導入する液体燃料の導入量を調整する電磁バルブ１２が設けられている。また、液体燃料ラインＬ１２には、バーナ燃焼器８に供給する液体燃料の導入量を調整する電磁バルブ（バーナ燃料供給装置）１３がそれぞれ設けられている。
【００２１】
更に、液体燃料ラインＬ１１の改質器７付近には、水蒸気改質に用いる水（原料水）を改質器７に導入するための水ラインＬ２が連結されている。この水ラインＬ２には、水の導入量を調整する電磁バルブ１４及び水タンク１５が設けられている。水タンク１５には、筐体６の外部から水タンク１５に水を導入する水ラインＬ２１及びＰＥＦＣスタック４で電気化学反応により生成したプロセス水を回収する回収水ラインＬ２２が連結されている。また、液体燃料ラインＬ１２のバーナ燃焼器８付近には、筐体６の外部から空気をバーナ燃焼器８に導入するためのバーナ用空気ラインＬ３１が連結されている。このバーナ用空気ラインＬ３１には、空気の導入量を調整する電磁バルブ１６が設けられている。
【００２２】
また、ＰＥＦＣスタック４は、改質ガス供給ラインＬ４を介してＦＰＳ３と接続されている。また、ＰＥＦＣスタック４には、筐体６の外部から空気を導入するための空気導入ラインＬ３２が接続されている。この空気導入ラインＬ３２には、空気の導入量を調整する電磁バルブ１７が設けられている。更に、ＰＥＦＣスタック４には、発電反応に寄与しなかった水素を含むオフガスを排出させるためのオフガスラインＬ５が連結されている。このオフガスラインＬ５の下流側は、バーナ燃焼器８に連結されており、バーナ燃料としてオフガスが利用可能になっている。また、オフガスラインＬ５には、オフガスの導入量を調整する電磁バルブ１８が設けられている。
【００２３】
続いて、燃料電池システム１の改質器７及びバーナ燃焼器８の構成について詳細に説明する。図２は、図１の燃料電池システムの改質器７及びバーナ燃焼器８の一部断面図である。図２に示されるように、バーナ燃焼器８は円筒状をなし、改質器７はこのバーナ燃焼器８を取り囲むように配置されている。
【００２４】
バーナ燃焼器８は、バーナ燃料を噴射するためのバーナ部１９及びバーナ燃焼を行うための燃焼筒２１を有している。バーナ部１９には、液体燃料ラインＬ１２に連結されており液体燃料を導入するための液体燃料導入部（原燃料流路）Ｌ１２１と、オフガスラインＬ５に連結されておりオフガスを導入するためのオフガス導入部（オフガス流路）Ｌ５１とが別々に設けられている。これにより、バーナ燃焼の燃料が液体燃料からオフガスに切り替わるときに、液体燃料にオフガスが混合され難くなり、バーナ燃焼器８の燃焼が安定化する。したがって、改質触媒２２を安定して加熱することができる。更に、バーナ用空気ラインＬ３１に連結されておりバーナ燃焼に用いる空気を導入するための空気導入部Ｌ３１１が設けられている。また、液体燃料ラインＬ１２には、気化器（図示せず）が設けられており、液体燃料は気化されてバーナ燃焼器８に導入される。
【００２５】
また、燃焼筒２１は、バーナ燃焼空間Ｓを画定し、この燃焼筒２１内で燃焼が行われる。燃焼筒２１には、その内壁面に、熱電対（温度センサ）３０が設けられている。これにより、バーナ燃焼空間Ｓを画定する壁面の最高温度部位における温度を容易且つ正確に測定することができる。温度センサとして熱電対３０が用いられているので、より確実にバーナ燃焼空間の温度を測定することができる。また、燃焼筒２１には、バーナ燃焼により発生する燃焼ガスを排出するため開口部２１ａが形成されている。この開口部２１ａには、燃焼ガスの流路となる燃焼ガスラインＬ６が連結されている。燃焼ガスラインＬ６は、改質器７とバーナ燃焼器８との間に設けられており、この燃焼ガスラインＬ６を流通する燃焼ガスの熱により、改質器７の改質触媒が加熱される。
【００２６】
更に、燃焼ガスラインＬ６の下流側は、燃焼ガスラインＬ６に流通する燃焼ガスを筐体６の外部に排出するための排出ラインが分岐して設けられている。この排出ラインは、液体燃料を用いて燃焼した場合に発生する燃焼ガスを外部に排出するための第１の排出ラインＬ６１と、オフガスを用いて燃焼した場合に発生する燃焼ガスを外部に排出するための第２の排出ラインＬ６２を有している。
【００２７】
また、改質器７は、改質触媒２２と、脱硫された液体燃料及び原料水を気化させるための気化器２３とを有している。気化された原燃料ガス及び水蒸気が改質触媒２２に接触しながら流通することで、水蒸気改質反応が進行して改質ガスがされる。水蒸気改質反応は非常に大きな吸熱反応であり、反応温度が５５０〜７５０℃程度と比較的高いので、改質触媒２２が７００℃程度となるようにバーナ燃焼器８で加熱されている。
【００２８】
また、燃料電池システム１は、運転時にシステム全体を制御する制御装置３１を備えている。電磁バルブ１３，１６，１８を制御することでバーナ燃焼器８に導入する液体燃料、空気及びオフガスの供給をそれぞれ制御する。ここで、燃料電池システム１の起動時においては、熱電対３０で検出された温度に基づいて、電磁バルブ１３，１６を制御することでバーナ燃焼器８に導入する液体燃料及び空気の供給をそれぞれ制御する。また、制御装置３１は、電磁バルブ１２，１４を制御して、改質器７に導入する液体燃料及び原料水の供給をそれぞれ制御する。
【００２９】
図３は、燃料電池システム１の起動時に、制御装置により実行される制御処理手順を示すフローチャートである。本制御処理の実行は、例えば図示しない起動スイッチが操作されることで開始される。以下、図３に示すフローチャートを用いて、燃料電池システム１の起動時の運転方法について説明する。
【００３０】
まず、電磁バルブ１３，１６を制御して、バーナ燃焼器８に液体燃料及び空気を供給する（Ｓ１０１）。すると、液体燃料が燃焼されて改質触媒が加熱される。このとき、供給される空気は液体燃料の燃焼に最適な供給量に制御される。続いて、電磁バルブ１２，１４を制御して、改質器７に向けて液体燃料及び原料水を供給する（Ｓ１０２）。すると、ＦＰＳ３により改質ガスが生成され、改質ガス供給ラインＬ４を介してＰＥＦＣスタック４に供給される。
【００３１】
また、電磁バルブ１７を制御して、ＰＥＦＣスタック４のカソードに空気を供給する（Ｓ１０３）。なお、この発電用空気の供給の開始は、Ｓ１０２の前又はＳ１０２と同時に実行しても良い。
【００３２】
その後、ＰＥＦＣスタック４が所定の温度まで昇温された後、ＰＥＦＣスタック４から電流を取り出すことにより、ＰＥＦＣスタック４による発電が開始される。このとき、ＰＥＦＣスタック４からはオフガスが排出される。
【００３３】
続いて、電磁バルブ１３を制御して、バーナ燃焼器８への液体燃料の供給を停止する（Ｓ１０４）。そして、液体燃料の供給を停止してから所定時間経過後に電磁バルブ１８を制御してバーナ燃焼器８にオフガスを供給しオフガスを燃焼する（Ｓ１０５）。これにより、液体燃料からオフガスへ切り替わるときに、バーナ燃焼器８の燃焼が所定時間停止するので、より確実に原料ガスにオフガスが混合され難くなる。そのため、バーナ燃焼器８の燃焼がより安定化する。このとき、電磁バルブ１６を制御してオフガス燃焼に最適な空気の供給量に制御する。
【００３４】
なお、バーナ燃焼器８と改質器７との間には、改質触媒２２を保温する保温部材が設けられていることが好ましい。これにより、バーナ燃焼器８の燃焼が所定時間停止しても保温部材が加熱されているので、改質触媒２２の温度低下を確実に防止することができる。この場合、保温部材は、バーナ燃焼器８から排出されたガスの燃焼ガスラインＬ６に設けられていることが好ましい。これにより、改質触媒の温度低下をより一層確実に防止することができる。なお、保温部材としては、アルミナ等の熱容量の比較的高い材料を好適に用いることができる。
【００３５】
図４は、図３におけるＳ１０１〜Ｓ１０４に、制御装置により実行される改質器の温度制御処理手順を示すフローチャートである。以下、燃料電池システム１の起動時における改質器の温度制御について説明する。
【００３６】
まず、電磁バルブ１３を制御して、第１の供給量（例えば、１．５〜２．０ｇ／min）でバーナ燃焼器８に液体燃料を供給する（Ｓ２０１）。このとき、電磁バルブ１６も制御して、第１の供給量の液体燃料の燃焼に最適な供給量でバーナ燃焼器８に空気を供給する。これにより、液体燃料が燃焼されて改質触媒が加熱される。
【００３７】
Ｓ２０１に続いて、熱電対３０により検出されたバーナ燃焼空間Ｓ内の温度が所定範囲（例えば、８５０〜９００℃）に達したか否かを判断する（Ｓ２０２）。その結果、バーナ燃焼空間Ｓ内の温度が所定範囲に達している場合には、電磁バルブ１３を制御して、第１の供給量より少ない第２の供給量（例えば、１．０ｇ／min程度）でバーナ燃焼器８に液体燃料を供給する（Ｓ２０３）。このとき、電磁バルブ１６も制御して、第２の供給量の液体燃料の燃焼に最適な供給量でバーナ燃焼器８に空気を供給する。一方、バーナ燃焼空間Ｓ内の温度が所定範囲に達していない場合には、Ｓ２０２に戻る。
【００３８】
Ｓ２０３に続いて、熱電対３０により検出されたバーナ燃焼空間Ｓ内の温度が所定範囲内に収まっているか否かを判断する（Ｓ２０４）。その結果、バーナ燃焼空間Ｓ内の温度が所定範囲内に収まっている場合には、Ｓ２０４に戻る。一方、バーナ燃焼空間Ｓ内の温度が所定範囲内に収まっていない場合には、熱電対３０により検出されたバーナ燃焼空間Ｓ内の温度が所定範囲を上回ったか否かを判断する（Ｓ２０５）。
【００３９】
その結果、バーナ燃焼空間Ｓ内の温度が所定範囲を上回っている場合には、電磁バルブ１３を制御して、第２の供給量を減少させる（Ｓ２０６）。このとき、電磁バルブ１６も制御して、減少させられた第２の供給量の液体燃料の燃焼に最適な供給量でバーナ燃焼器８に空気を供給する。そして、Ｓ２０４に戻る。
【００４０】
一方、バーナ燃焼空間Ｓ内の温度が所定範囲を上回っていない場合には（すなわち、バーナ燃焼空間Ｓ内の温度が所定範囲を下回っている場合には）、電磁バルブ１３を制御して、第２の供給量を増加させる（Ｓ２０７）。このとき、電磁バルブ１６も制御して、増加させられた第２の供給量の液体燃料の燃焼に最適な供給量でバーナ燃焼器８に空気を供給する。そして、Ｓ２０４に戻る。
【００４１】
以上のように、燃料電池システム１では、電磁バルブ１３は、システム起動時において、バーナ燃焼器８のバーナ燃焼空間Ｓ内に設けられた熱電対３０によって検出された温度が所定範囲に達するまでは、第１の供給量でバーナ燃料としての原燃料を供給し、温度が所定範囲に達した後は、温度が所定範囲内に収まるように、第１の供給量より少ない第２の供給量でバーナ燃料としての原燃料を供給する。これにより、バーナ燃焼器８は、バーナ燃焼空間Ｓを画定する壁面の耐熱温度の上限付近である所定範囲に燃焼空間Ｓ内の温度が達した後は、燃焼空間Ｓ内の温度がその所定範囲内に収まるようにバーナ燃焼を制御することができ、改質触媒２２を改質温度までより短時間に昇温させることが可能となる。従って、バーナ燃焼空間Ｓを画定する壁面の劣化を抑制しつつ、改質触媒２２を改質温度までより短時間に昇温させることができる。
【００４２】
以上、本発明の好適な実施形態について詳細に説明したが、本発明は上記実施形態に限定されるものではない。
【００４３】
例えば、上記実施形態では、液体燃料として灯油を用いたが、ガソリン、ナフサ、軽油、メタノール、エタノール、ＤＭＥ（ジメチルエーテル）、バイオマスを利用したバイオ燃料を用いてもよい。また、都市ガス等の気体燃料を用いてもよい。なお、この場合には、脱硫器（脱硫方法）及び改質器（改質方法）は、用いる液体燃料の特性に応じたものとされる。
【００４４】
また、上記実施形態では、ＰＥＦＣスタック４を備えた燃料電池システム１としたが、固体酸化物形燃料電池（ＳＯＦＣ）スタックを備えた燃料電池システムとしてもよい。
【００４５】
また、バーナ燃焼器８のバーナ燃焼空間Ｓ内に熱電対３０を複数設け、その時点で温度検出可能である熱電対３０によって検出された温度のうち最も高い温度に基づいて、バーナ燃料としての原燃料を供給するように、制御装置３１に電磁バルブ１３を制御させてもよい。これによれば、バーナ燃焼空間Ｓを画定する壁面の劣化をより一層確実に抑制しつつ、改質触媒２２を改質温度までより一層短時間に昇温させることができる。
【００４６】
なお、その時点で最も高い温度を検出していた熱電対３０が温度検出不能となった場合には、その時点で温度検出可能である熱電対３０によって検出された温度のうち最も高い温度に基づいて、バーナ燃料としての原燃料を供給するように、制御装置３１に電磁バルブ１３を制御させてもよい。或いは、その時点で最も高い温度を検出している熱電対３０及びその他の熱電対３０によって検出された温度の温度差を制御装置３１に記憶させておき、その時点で最も高い温度を検出していた熱電対３０が温度検出不能となった場合には、その時点で温度検出可能である熱電対３０によって検出された温度を温度差に基づいて補正し（すなわち、検出された温度に、記憶しておいた温度差を加える）、補正した温度に基づいて、バーナ燃料としての原燃料を供給するように、制御装置３１に電磁バルブ１３を制御させてもよい。これらによれば、最も高い温度を検出していた熱電対３０が温度検出不能となった場合でも、バーナ燃焼空間Ｓを画定する壁面の劣化を抑制しつつ、改質触媒２２を改質温度までより短時間に昇温させることができる。
【図面の簡単な説明】
【００４７】
【図１】本発明に係る燃料電池システムの一実施形態を示す概略構成図である。
【図２】図１の燃料電池システムの改質器及びバーナ燃焼器の一部断面図である。
【図３】燃料電池システムの起動時に、制御装置により実行される制御処理手順を示すフローチャートである。
【図４】図４のＳ１０１〜Ｓ１０４に、制御装置により実行される改質器の温度制御処理手順を示すフローチャートである。
【符号の説明】
【００４８】
１…燃料電池システム、３…ＦＰＳ、４…ＰＥＦＣスタック、７…改質器、８…バーナ燃焼器、１３…電磁バルブ、２２…改質触媒、３０…熱電対、Ｓ…バーナ燃焼空間。
【図１】
0005314310.tif 000002
【図２】
0005314310.tif 000003
【図３】
0005314310.tif 000004
【図４】
0005314310.tif 000005